(57)【要約】【課題】施工時間を短縮し、専門職を必要とせず、断熱性、遮音性、透水性、ヒートアイランド現象防止対策など、現在床に求められている機能を簡単に提供することができる床面の施工方法を提供する。【解決手段】上側主面の仕上げ材間の目地に相当する部分に連続又は点在的に目地幅を有して盛り上がって仕上げ材を嵌めて固定し得るような目地枠２を設けた支持枠体１を、施工現場にて現場寸法に合わせて切断または複数の製品を継ぎ足して設置し、前記目地枠２を利用して仕上げ材となる石平板１０をはめ込んだ後、目地材１２を石平板１０の隙間に導入する床の施工方法。【選択図】図２
2007239418.tif 000002
【特許請求の範囲】
【請求項１】
上側主面の仕上げ材間の目地に相当する部分に連続又は点在的に目地幅を有して盛り上がって仕上げ材を嵌めて固定し得るような目地枠を設けた支持枠体を、施工現場にて現場寸法に合わせて切断または複数の製品を継ぎ足して設置し、前記目地枠を利用して仕上げ材をはめ込んだ後、目地材を仕上げ材の隙間に導入することを特徴とする床の施工方法。
【請求項２】
支持枠体の仕上げ材間の目地に相当する部分となる目地枠又は上側主面に、孔が複数箇所設けられ、目地材を導入する際、前記孔に目地材を流し込むことにより目地のアンカーとすることを特徴とする請求項１に記載の床の施工方法。
【請求項３】
支持枠体の目地枠に、下面まで達する貫通孔が複数箇所設けられ、目地材を導入する前に前記貫通孔に蓋をして目地を施工し、目地の施工後にこの蓋を取り除くことにより床面に透水孔を形成した透水床とすることを特徴とする請求項１又は２のいずれかの項に記載の床の施工方法。
【請求項４】
上側主面の仕上げ材間の目地に相当する部分に複数の目地棒挿入孔を点在的に設けた支持枠体を、施工現場にて現場寸法に合わせて切断または複数の製品を継ぎ足して設置し、下部がこの目地棒挿入孔に嵌り込み上部が所定の目地幅となる目地棒を目地棒挿入孔に嵌め込み、複数の目地棒間に仕上げ材を嵌め込んで固定した後、目地材を仕上げ材の隙間に導入することを特徴とする床の施工方法。
【請求項５】
目地棒には孔が設けられ、目地材を導入する際、前記孔に目地材を流し込むことにより目地のアンカーとすることを特徴とする請求項４に記載の床の施工方法。
【請求項６】
目地棒挿入孔が支持枠体の上下面を貫通しており、目地棒には上面から下面まで達する貫通孔が設けられ、目地材を導入する前に前記貫通孔に蓋をして目地を施工し、目地の施工後にこの蓋を取り除くことにより床面に透水孔を形成した透水床とすることを特徴とする請求項４又は５のいずれかの項に記載の床の施工方法。
【請求項７】
支持枠体の仕上げ材固定部分に下面まで達する貫通孔を開けておき、仕上げ材施工時に貫通孔にグラウト材を流し込み、下面にアンカーボルトが突出した仕上げ材をそのアンカーボルトが貫通孔に入り込むように設置することにより強固な床とすることを特徴とする請求項１乃至６のいずれかの項に記載の床の施工方法。
【請求項８】
下地の上にゴム等の弾性体を点在的に設置し、その上にＦＲＰやＧＲＣその他金属板などの曲げ強度の強い板を置いて下地との間に空気層を作り、その上に支持枠体を設置することにより遮音床とすることを特徴とする請求項１乃至７のいずれかの項に記載の床の施工方法。
【請求項９】
地中に掘った鉄筋挿入孔の中にグラウト材又はコンクリートを流してから、下面にアンカー鉄筋を挿入した枕石を、該アンカー鉄筋を鉄筋挿入孔に挿入することで固定し、枕石の上に支持枠体を設置することにより冬期の凍結による浮き上がりを防止したことを特徴とする請求項１乃至６のいずれかの項に記載の床の施工方法。
【請求項１０】
支持枠体内に発熱体を設置し、その上に伝導性のよい金属板を設置し、その上に仕上げ材を設置してから目地を施工することにより暖房床を施工することを特徴とする請求項１乃至９のいずれかの項に記載の床の施工方法。
【請求項１１】
支持枠体の下部に透水孔と通じる水の貯水部分を設けておき、保水又は吸水部材を該貯水部分と仕上げ材下面までの間に介在させることにより気化熱による温度低下を図る床とすることを特徴とする請求項３又は６のいずれかの項に記載の床の施工方法。
【請求項１２】
上記請求項７乃至９のいずれかの項に記載の床の施工方法における目地枠や目地棒挿入孔を設けた支持枠体に代えて、表面が床として仕上げられ目地枠や目地棒挿入孔を設けていない支持枠体を用い、仕上げ材を貼らないで行うことを特徴とする床の施工方法。
【請求項１３】
上側主面が傾斜面となっており、裏側を階段形状にしてある支持枠体を、階段の上から嵌め込んで設置することにより階段の一部又は全てをスロープ化することを特徴とする床の施工方法。
【請求項１４】
支持枠体の上側主面に上記請求項１乃至６、又は請求項１０のいずれかの項に記載の床の施工方法における目地枠や目地棒挿入孔を設け、目地枠や目地棒に支持枠を嵌め込むことにより階段の一部又は全てを表面に仕上げ材が形成されたスロープ化することを特徴とする請求項１３に記載の床の施工方法。
【請求項１５】
上側主面の仕上げ材間の目地に相当する部分に連続又は点在的に目地幅を有して盛り上がって仕上げ材を嵌めて固定し得るような目地枠を設けたことを特徴とする床の施工方法に使用する支持枠体。
【請求項１６】
床完成後に仕上げ材間の目地に相当する部分となる目地枠又は上側主面に、孔又は貫通孔が複数箇所設けられたことを特徴とする請求項１５に記載の支持枠体。
【請求項１７】
上側主面の仕上げ材間の目地に相当する部分に複数の目地棒挿入孔が点在的に設けられ、下部がこの目地挿入孔に嵌り込み上部が所定の目地幅となる目地棒を目地棒挿入孔に嵌め込んだ時、複数の目地棒間に仕上げ材を嵌め込んで固定し得るようにしたことを特徴とする床の施工方法に使用する支持枠体。
【請求項１８】
２種類以上の異なる目地幅による異なる目地の位置に対応した２種類以上の目地棒挿入孔が設けられ、施工する目地幅に応じた目地棒挿入孔に上部が対応する目地幅となった目地棒を挿入可能としてあることを特徴とする請求項１７に記載の支持枠体。
【請求項１９】
目地棒挿入孔が支持枠体の上下面を貫通しており、目地棒には上面から下面まで達する貫通孔が設けられたことを特徴とする請求項１７又は１８のいずれかの項に記載の支持枠体。
【請求項２０】
仕上げ材設置箇所に下面まで達する貫通孔が複数箇所設けられたことを特徴とする請求項１５乃至１９のいずれかの項に記載の支持枠体。
【請求項２１】
上記請求項２０に記載の支持枠体に嵌め込まれる仕上げ材であって、該支持枠体の仕上げ材設置箇所の貫通孔に合致する下面の位置に、アンカーボルトを螺合するナットが設けられていることを特徴とする仕上げ材。
【請求項２２】
上記請求項１５又は１６のいずれかの項に記載の支持枠体における目地枠を設けずに表面が床として仕上げられており、仕上げ材を貼らずに行う床の施工方法に使用することを特徴とする支持枠体。
【請求項２３】
上側主面が傾斜面となっており、裏側を階段形状にしてあり、階段の上から嵌め込んで設置することにより階段の一部又は全てをスロープ化することを特徴とする床の施工方法に使用する支持枠体。
【請求項２４】
裏面の階段形状部分に、高さ調整調整機能を有することを特徴とする請求項２３に記載の支持枠体。
【発明の詳細な説明】
【技術分野】
【０００１】
この発明は、建物の内部、屋上の床、エクステリアの床など床面を施工する施工方法とそれに使用する製品（支持枠体）に関する。
【背景技術】
【０００２】
従来、建物や外構工事においての石やタイルの工事は下地の上に空練モルタルを敷いた後、石やタイルを専門職が一枚一枚目地間隔を見ながら水糸に沿って貼っていくか、或いはボンドなどで間隔を決めながら施工するのが一般的な施工方法である。
【０００３】
また、吸水率の高い弾性体の表面に石やタイル等の表層材を予め接着しておき、弾性体にモルタルを含浸させてから弾性体を並べ、全表層体を表面から同一レベルに押さえ込んだ状態でモルタルを硬化させて床を施工することにより、専門職が現場で表層材を一枚一枚目地間隔を見ながら貼る手間を省いた施工方法がある（例えば、特許文献１参照）。
【特許文献１】特開２００３−３０１５９５号公報
【発明の開示】
【発明が解決しようとする課題】
【０００４】
ところで、従来の石やタイルを一枚一枚目地間隔を見ながら貼っていく施工方法では、目地の通りなども全ての間隔を一定に美しい床貼りを施工するには長年の経験と卓越した技術が要求され、実際の施工は熟練工や技能を持った職人でなくては行なえないものである。
【０００５】
また、マンションなどの施工時に空練モルタル用のセメントや砂を施工場所まで運搬することに労力がかかり、必ず下地を作った上に石やタイルを一枚一枚レベルを合わせながら施工することが条件であり施工時間もかかっているため、これらの要因によってコスト低減が出来ない状況にある。
【０００６】
更に、施工完了検査時に現場において傷や色違いなどによる貼り替え工事が発生する場合、空練モルタルやボンド接着で施工した場合はその工事に手間、時間がかかりコストも大幅アップとなっている。
【０００７】
上記特許文献１の方法においては、専門職による石貼りの手間が省けて施工時間も短縮できる利点があるが、床面全体にわたって床面全体をレベル合わせのために押さえ込む作業と機器が必要であり、通常の作業とは別の作業と手間がかかることになり、また、弾性体の表面に予め石が貼ってあるため、これら弾性体の現場への運搬時に石が破損しないように慎重に取り扱う必要があり、更に、現場において施工後に傷や色違いなどが判明した場合、通常の場合より貼り替え工事が困難となってしまう。
【０００８】
また、最近の住宅やマンションの施工には、空調効率を高めるために断熱床にして保温性を重要視した現場やマンションなどでは下の階の住居への遮音性を求める施工が急増してきている。
【０００９】
更に、事務所物件や一般住宅、マンションのリビング、店舗などの床にも床暖石貼り床などを設置したい要望があり、特に高齢社会となった現在、冬季に浴室や脱衣所、便所等で脳溢血等の症状により倒れ死亡する例が多くこれらの居住部分の暖房対策を検討しなければならない状況にある。
【００１０】
一般住宅やマンションのベランダ部分、ビルなどの屋上部分は防水工事が行われ、この上の仕上げに軽くて透水性があり、美観にも優れた石やタイルなどが使用されることが多く防水層に傷を付けない工法開発が要望されており、特に、屋上などの工事は出来るだけ軽い素材によって施工することにより鉄骨部材の経済的な施工を求められ、軽量化することで地震時の安全も重要な課題となっている。
【００１１】
また、住宅やマンション、公共施設建物、外構においてバリヤフリー対策が高齢化社会を迎えた今日、階段による福祉対策問題が大きな課題となっており、これら階段を簡単に簡易的にスロープに変える必要があるが、車椅子が簡単に登れる施設にするには現在大掛かりな工事が必要であり、簡単には変更できない問題がある。
【００１２】
更に、これらのスロープをいったん施工した後でスロープが不要になった場合、元の階段に復帰させたい場合があり、これもスロープの取り外し作業に多くの手間やコストがかかることになる。
【００１３】
そこでこの発明は上記の諸問題を解決し、施工時間の短縮による施工コストの低減と共に専門職を必要としない床面の施工方法とそれに用いる製品を提供すると共に、床の断熱性、遮音性、更には防水層の仕上げなど排水のための透水床、暖房床、ヒートアイランド現象に対応できる保水性を兼ねた床など、現在床に求められている機能を簡単に提供することができる床面の施工方法とそれに用いる製品を提供するものである。
【課題を解決するための手段】
【００１４】
上記のような課題を解決するための請求項１の発明は、上側主面の仕上げ材間の目地に相当する部分に連続又は点在的に目地幅を有して盛り上がって仕上げ材を嵌めて固定し得るような目地枠を設けた支持枠体を、施工現場にて現場寸法に合わせて切断または複数の製品を継ぎ足して設置し、前記目地枠を利用して仕上げ材をはめ込んだ後、目地材を仕上げ材の隙間に導入する床の施工方法である。
【００１５】
また、請求項２の発明は、上記請求項１の床の施工方法の発明において、支持枠体の仕上げ材間の目地に相当する部分となる目地枠又は上側主面に、孔が複数箇所設けられ、目地材を導入する際、前記孔に目地材を流し込むことにより目地のアンカーとする構成を採用したものである。
【００１６】
また、請求項３の発明は、上記請求項１又は２の床の施工方法の発明において、支持枠体の目地枠に、下面まで達する貫通孔が複数箇所設けられ、目地材を導入する前に前記貫通孔に蓋をして目地を施工し、目地の施工後にこの蓋を取り除くことにより床面に透水孔を形成した透水床とする構成を採用したものである。
【００１７】
また、請求項４の発明は、上側主面の仕上げ材間の目地に相当する部分に複数の目地棒挿入孔を点在的に設けた支持枠体を、施工現場にて現場寸法に合わせて切断または複数の製品を継ぎ足して設置し、下部がこの目地棒挿入孔に嵌り込み上部が所定の目地幅となる目地棒を目地棒挿入孔に嵌め込み、複数の目地棒間に仕上げ材を嵌め込んで固定した後、目地材を仕上げ材の隙間に導入する床の施工方法である。
【００１８】
また、請求項５の発明は、上記請求項４に記載の床の施工方法の発明において、目地棒には孔が設けられ、目地材を導入する際、前記孔に目地材を流し込むことにより目地のアンカーとする構成を採用したものである。
【００１９】
また、請求項６の発明は、上記請求項４又は５のいずれかの項に記載の床の施工方法の発明において、目地棒挿入孔が支持枠体の上下面を貫通しており、目地棒には上面から下面まで達する貫通孔が設けられ、目地材を導入する前に前記貫通孔に蓋をして目地を施工し、目地の施工後にこの蓋を取り除くことにより床面に透水孔を形成した透水床とする構成を採用したものである。
【００２０】
また、請求項７の発明は、上記請求項１乃至６のいずれかの項に記載の床の施工方法の発明において、支持枠体の仕上げ材固定部分に下面まで達する貫通孔を開けておき、仕上げ材施工時に貫通孔にグラウト材を流し込み、下面にアンカーボルトが突出した仕上げ材をそのアンカーボルトが貫通孔に入り込むように設置することにより強固な床とする構成を採用したものである。
【００２１】
また、請求項８の発明は、上記請求項１乃至７のいずれかの項に記載の床の施工方法の発明において、下地の上にゴム等の弾性体を点在的に設置し、その上にＦＲＰやＧＲＣその他金属板などの曲げ強度の強い板を置いて下地との間に空気層を作り、その上に支持枠体を設置することにより遮音床とする構成を採用したものである。
【００２２】
また、請求項９の発明は、上記請求項１乃至６のいずれかの項に記載の床の施工方法の発明において、地中に掘った鉄筋挿入孔の中にグラウト材又はコンクリートを流してから、下面にアンカー鉄筋を挿入した枕石を、該アンカー鉄筋を鉄筋挿入孔に挿入することで固定し、枕石の上に支持枠体を設置することにより冬期の凍結による浮き上がりを防止した構成を採用したものである。
【００２３】
また、請求項１０の発明は、上記請求項１乃至９のいずれかの項に記載の床の施工方法の発明において、支持枠体内に発熱体を設置し、その上に伝導性のよい金属板を設置し、その上に仕上げ材を設置してから目地を施工することにより暖房床を施工する構成を採用したものである。
【００２４】
また、請求項１１の発明は、上記請求項３又は６のいずれかの項に記載の床の施工方法の発明において、支持枠体の下部に透水孔と通じる水の貯水部分を設けておき、保水又は吸水部材を該貯水部分と仕上げ材下面までの間に介在させることにより気化熱による温度低下を図る床とする構成を採用したものである。
【００２５】
また、請求項１２の発明は、上記請求項７乃至９のいずれかの項に記載の床の施工方法の発明における目地枠や目地棒挿入孔を設けた支持枠体に代えて、表面が床として仕上げられ目地枠や目地棒挿入孔を設けていない支持枠体を用い、仕上げ材を貼らないで行う構成を採用したものである。
【００２６】
また、請求項１３の発明は、上側主面が傾斜面となっており、裏側を階段形状にしてある支持枠体を、階段の上から嵌め込んで設置することにより階段の一部又は全てをスロープ化する構成を採用したものである。
【００２７】
また、請求項１４の発明は、上記請求項１３に記載の床の施工方法の発明において、支持枠体の上側主面に上記請求項１乃至６、又は請求項１０のいずれかの項に記載の床の施工方法における目地枠や目地棒挿入孔を設け、目地枠や目地棒に支持枠を嵌め込むことにより階段の一部又は全てを表面に仕上げ材が形成されたスロープ化する構成を採用したものである。
【００２８】
また、請求項１５の発明は、上記請求項１に記載の床の施工方法の発明に用いるものであり、上側主面の仕上げ材間の目地に相当する部分に連続又は点在的に目地幅を有して盛り上がって仕上げ材を嵌めて固定し得るような目地枠を設けた支持枠体である。
【００２９】
また、請求項１６の発明は、上記請求項２又は３のいずれかの項に記載の床の施工方法の発明に用いるものであり、上記請求項１５に記載の支持枠体の発明において、床完成後に仕上げ材間の目地に相当する部分となる目地枠又は上側主面に、孔又は貫通孔が複数箇所設けられた構成を採用したものである。
【００３０】
また、請求項１７の発明は、上記請求項４又は５のいずれかの項に記載の床の施工方法の発明に用いるものであり、上側主面の仕上げ材間の目地に相当する部分に複数の目地棒挿入孔が点在的に設けられ、下部がこの目地挿入孔に嵌り込み上部が所定の目地幅となる目地棒を目地棒挿入孔に嵌め込んだ時、複数の目地棒間に仕上げ材を嵌め込んで固定し得るようにした支持枠体である。
【００３１】
また、請求項１８の発明は、上記請求項４又は５のいずれかの項に記載の床の施工方法の発明に用いるものであり、請求項１７に記載の支持枠体の発明において、２種類以上の異なる目地幅による異なる目地の位置に対応した２種類以上の目地棒挿入孔が設けられ、施工する目地幅に応じた目地棒挿入孔に上部が対応する目地幅となった目地棒を挿入可能としてある構成を採用したものである。
【００３２】
また、請求項１９の発明は、上記請求項６に記載の床の施工方法に用いるものであり、請求項１７又は１８のいずれかの項に記載の支持枠体であって、目地棒挿入孔が支持枠体の上下面を貫通しており、目地棒には上面から下面まで達する貫通孔が設けられた構成を採用したものである。
【００３３】
また、請求項２０の発明は、上記請求項７に記載の床の施工方法の発明に用いるものであり、上記請求項１５乃至１９のいずれかの項に記載の支持枠体の発明において、仕上げ材設置箇所に下面まで達する貫通孔が複数箇所設けられた構成を採用したものである。
【００３４】
また、請求項２１の発明は、上記請求項７に記載の床の施工方法の発明に用いるものであり、上記請求項２０に記載の支持枠体に嵌め込まれる仕上げ材であって、該支持枠体の仕上げ材設置箇所の貫通孔に合致する下面の位置に、アンカーボルトを螺合するナットが設けられている仕上げ材である。
【００３５】
また、請求項２２の発明は、上記請求項１２に記載の仕上げ材を貼らずに行う床の施工方法に使用する発明に用いるものであり、上記請求項１５又は１６のいずれかの項に記載の支持枠体の発明における目地枠を設けずに表面が床として仕上げられている構成を採用したものである。
【００３６】
また、請求項２３の発明は、上記請求項１３に記載の床の施工方法に使用するものであって、上側主面が傾斜面となっており、裏側を階段形状にしてあり、階段の上から嵌め込んで設置することにより階段の一部又は全てをスロープ化する床の施工方法に使用する支持枠体である。
【００３７】
また、請求項２４の発明は、上記請求項２３の支持枠体の発明において、裏面の階段形状部分に、高さ調整調整機能を有する構成を採用したものである。
【００３８】
上記したこの発明において、仕上げ材とは、現場で職人が現場で一枚一枚貼り付けて床面を仕上げるもので、石やタイル、木等の従来から床の仕上げに一般的に用いられているものが挙げられる。
【００３９】
支持枠体としては、現場での運搬や取扱を考慮し、軽量部材である、発泡樹脂、ＦＲＰ、ＧＲＣ、発泡ゴム、プラスチック、軽金属等の軽くて成型が容易にできる素材からなり、工場で事前に製造しておくもので、これを現場に搬入して設置する。
【００４０】
支持枠体の上側主面に盛り上がって設けられた目地枠は、仕上げ材を嵌め込んだ時にしっかり固定できるものであれば目地部分に連続的に設けても、点在的に設けてもどちらでも良い。また、仕上げ材を嵌め込んだ時に目地材を導入するための目地深さを確保出来る程度の盛り上がりとしておく。
【００４１】
これらの施工は支持枠体が軽量なので、従来のように重たいセメントや砂を運ぶ必要がなくなり、その後仕上げ材のはめ込み作業を行い、仕上げ材の間に目地材を塗りこみ、目地の施工が完了すれば床の施工は完了する。
【発明の効果】
【００４２】
以上のように、請求項１の床の施工方法の発明や請求項１５の支持枠体の発明によると、床の施工において、従来のように現場に重たいセメントや砂を運ぶことは必要なく、支持枠体に仕上げ材をはめ込めば美しい目地が構築でき、専門工を必要としないで短工期が実現でき、メンテナンスも簡単で施工費が大幅に低減される。
【００４３】
また、施工完了検査時に現場において傷や色違いなどによる貼り替えが生じても、従来のように最初から再度セメントによる施工をせずとも仕上げ材を支持枠体から外して再度嵌め込むだけで配置されるので、貼り替え作業が容易となり、更に、予め仕上げ材を一体化した床材を現場に運んで施工するものに比較しても、従来の作業と同様に仕上げ材を現場で嵌め込むので、現場での仕上げ材の選択・変更が容易で作業の柔軟性が向上する。
【００４４】
更に、この工法を利用すれば、素人でも床面の施工が可能となり、専門職不足による建設業界の大きな問題点の解消にも寄与すると共に、支持枠体の材質を発泡樹脂その他軽量材質から適宜選択すれば、断熱性、遮音性等を有する床面が簡単に得られることになる。
【００４５】
また、本発明の支持枠体の材料に発泡樹脂下地材を使用した場合と、従来のコンクリート下地に石やタイルなどの仕上げ材を貼った床とでは、歩行時の膝などへの負担が異なり人体に対して健康的な床を提供することになる。
【００４６】
次に、請求項２の床の施工方法の発明や請求項１６の支持枠体の発明によれば、目地材が支持枠体の孔に入り込んでアンカーの役目を果たすので目地の脱落等が無くなり、また、請求項３の床の施工方法の発明によれば、透水床が容易に作成でき、軽量な支持枠体であることと共に、ビルの屋上、ベランダ、浴室など床面等が軽量であり、かつ排水性が求められる場所に適した施工となる。
【００４７】
また、請求項４の床の施工方法の発明や請求項１７の支持枠体の発明によれば、請求項１や請求項１５の発明と同様の効果を有すると共に、支持枠体に目地枠の盛り上がりに代えて目地棒挿入孔を設けるだけで良いので、支持枠体の製造において上面が平面の支持枠体を製造でき、１つの支持枠体の型で種々の目地幅や仕上げ材寸法の支持枠体が製造できるので製造コストが安くなり、特に、請求項１８の支持枠体の発明によれば、１つの支持枠体で現場にて用途に合った目地幅に変更したり、他の目地幅の床面に流用したりできるので、利便性が向上する。
【００４８】
次に、請求項５の床の施工方法によれば、請求項２の発明と同様に、目地材が目地棒の孔に入り込んでアンカーの役目を果たすので目地の脱落等が無くなりの効果を生じ、また、請求項６の床の製造方法の発明や請求項１９の支持枠体の発明によれば、請求項３や請求項１６の発明と同様、透水床が容易に作成でき、軽量な支持枠体であることと共に、ビルの屋上、ベランダ、浴室など床面等が軽量であり、かつ排水性が求められる場所に適した施工となる。
【００４９】
また、請求項１１の床の製造方法の発明によれば、透水孔を通じて貯めた水を保水又は吸水部材によって浸透させることで仕上げ材下面まで導き、気化熱により床の温度低下を図ることで夏期の床温度を下げることができ、近年温暖化防止対策として取り上げられてる都会のヒートアイランド現象の低減に貢献することができる。
【００５０】
また、請求項７の床の施工方法の発明や請求項２０の支持枠体の発明によれば、床面に加わる荷重を、仕上げ材からアンカーボルトを通じて下地に直接伝えるので、荷重に対して強い床面となり、長期の繰り返し荷重が加わることによる支持枠体の圧縮による床面のへこみや沈下、下地材の万一の変形による仕上げ材の傾きなどが無くなる。
【００５１】
また、請求項２１の仕上げ材の発明によれば、上記の荷重に対して強い床面とする施工方法に用いられる、下面からアンカーボルトが突出した仕上げ材を、使用前はナットからアンカーボルトを取り外しておいて、施工時に現場にてアンカーボルトを取り付けることで、仕上げ材の運搬時にはアンカーボルトが邪魔にならないようにできる。
【００５２】
また、請求項８の床の施工方法の発明によれば、住宅やマンションに適した断熱性能と共に遮音性が高い床面が構築でき、また、請求項９の床の施工方法の発明によれば、冬期凍結して浮き上がりが生じるような場所についても、床面が強固に地面に固定されて浮き上がりが生じない床面が構築でき、また、請求項１０の床の施工方法の発明によれば、浴室や脱衣所、便所、リビング、店舗、事務所、病院や駅の待合室などに適した暖房床が安く容易に施工でき、これからの高齢化社会に大きな貢献ができる。
【００５３】
また、請求項１２の床の施工方法の発明や請求項２２の支持枠体の発明によれば、仕上げ材の貼付作業も必要なく、低コストが必要な場合の施工に適することになる。
【００５４】
また、請求項１３の床の施工方法の発明や請求項２３の支持枠体の発明によれば、一般住宅、公共公園や道路、駅などの既設階段が瞬時に簡易スロープになり、身体障害者の人や老人の生活に大きく貢献できることになり、車椅子が必要なくなった場合にも容易に元の階段に復帰させることができる。
【００５５】
また、請求項１４の床の施工方法の発明によれば、階段の傾斜部分にも目地枠や目地棒により仕上げ材を保持して綺麗に仕上げたり、発熱体を挟んで暖房機能を入れたりすることができる。
【００５６】
また、請求項２４の支持枠体の発明によれば、階段と支持枠体の隙間を高さ調整機能により調整することで階段に設置したときにがたつかず、更に、種々のどのような階段に適用することができる汎用性が生じる。
【発明を実施するための最良の形態】
【００５７】
［目地のアンカー工法の施工例］
図１（Ａ）（Ｂ）（Ｃ）に示す支持枠体１は、発泡樹脂等の軽量な材料からなり、矩形状の平板形状の一方主面（上側）には、所定の目地幅を有して縦横に交差して盛り上がった目地枠２により区画され、それぞれ石やタイル等の仕上げ材が入り込む凹部３が複数箇所設けられており、また目地枠２には、所定間隔で上下に貫通し下部で広がった貫通孔４が設けられており、支持枠体１の一辺端部には縁石等を設置するための横長凹部５が、両側端部には幅木取り付け溝６が設けられている。
【００５８】
この支持枠体１の大きさは、特に限定されるものではないが、一人の人間が容易に持ち運び出来る程度の大きさと重さにしておき、例えば、大きさとしては６０ｃｍ×６０ｃｍ〜１．５ｍ×１．５ｍ程度、厚み５０〜３００ｍｍとしておき、重量としては、１つで２０ｋｇを超えない程度としておけば良い。なお、戸建住宅の素材には防白蟻素材を使用する。
【００５９】
そして、広い面積の床を施工する場合は、複数の支持枠体１を並べて施工するようにするが、この場合、床の端部に使用しない接続用の支持枠体１であれば、縁石等を設置するための横長凹部５や幅木取り付け溝６が不要であるので、これらを省略した支持枠体１を予め製作して用意しておけば良く、また、発泡樹脂製であることから、横長凹部５や幅木取り付け溝６を現場で切断して取り外しても良く、更には、端部に設置する支持枠体１を床面積に合わせて任意の部分（例えば凹部３の途中）で削り取っても良い。切断は細い電熱線を利用すれば簡単に早く切断作業が完了し、従来のコンクリートのようなハツリ作業はなくなる。この場合は、仕上げ材も切断された凹部３の大きさに合わせて切断することになる。
【００６０】
また、支持枠体１の接続は同じ高さの位置に切り込みを作っておき、ここに樹脂や金属プレートを差し込んで接続すれば容易にレベルが伴った接続ができ、大きな場所の施工も簡単に行え、屋外で使用する場合にも風で吹き飛ばされるような問題はなくなる。
【００６１】
図２（Ａ）（Ｂ）（Ｃ）は、上記支持枠体１を用いた床面の形成方法を示すものであり、まず、支持枠体１の設置前に、この支持枠体１を平滑に取り付けられるように下地を平面に仕上げておくが、コンクリート床７の上に例えば流動剤を流せば自動的に硬化して平滑に下地ができるレベル材８を流し水平面を作り、レベル材８の硬化後、その上に図１で示した支持枠体１を設置する（図２（Ａ））。なお、水平を出すためにレベル材８でなく、空練りモルタルやコンクリート下地を用いて水平を出してもよい。
【００６２】
レベル材８からなる下地と支持枠体１は接着剤等により固定するが、これらの施工は支持枠体１が軽量なので、従来のように重たいセメントや砂を運ぶ必要がなくなる。なお、点検時の床下の解体等が必要となる場合は、下地と支持枠体１を接着しない場合もある。また、仕上げ材の厚みが異なる場合は、支持枠体１と仕上げ材間にコーキング材などを塗布して調整する。
【００６３】
なお、図示していないが、前述のように、施工場所の大きさが支持枠体１と異なる場合は、支持枠体１を切断したり別の支持枠体を追加して加工寸法に合わせて敷き詰める。
【００６４】
次に、支持枠体１の凹部３内底面に接着剤９（又はコーキング）を塗布した後、各凹部３内に仕上げ材となる石平板１０を設置してゆき、幅木取り付け溝６には、幅木１１を挿入する（図２（Ｂ））。なお、石平板１０は接着剤を用いずに凹部３に嵌め込まれるだけの場合もある。
【００６５】
もちろん、支持枠体１が凹部３の途中で切断されている部分は、それに合わせて切断された石平板１０を用いる。
【００６６】
支持枠体１の凹部３の形状と仕上げ材の石平板１０は同じ寸法なので、嵌め込むだけで簡単に美しい仕上がりが自動的に確保され、従来のように専門工でなくても工事が出来ることにより大幅なコストダウンが可能となると共に、現場での騒音、埃、残材などの環境公害問題が解消される。
【００６７】
その後、各石平板１０間の隙間（目地枠２の部分）に基本的には弾性モルタルやコーキングからなる目地材１２を入れる。目地材１２は貫通孔４にも入り込み、下部の拡大部にも達する（図２（Ｃ））。
【００６８】
この施工例のように、目地枠２の存在により目地深さが浅くなるため、目地の剥離などが生じるおそれがあるが、この目地材１２が貫通孔４に入り込んで固まって一体化することにより、目地全体が外れないアンカーの役目を果たすことになる。
【００６９】
図３は完成した床面の平面図であり、１３は框石、１４は壁ボードである。なお、図示していないが床面積が広い場合、複数の支持枠体１を縦横に接続して床面が形成され、その場合は支持枠体１の横長凹部５や幅木取り付け溝６は切断されて支持枠体１同士が連結され、框石１３や壁ボード１４は必要な部分に配置されることになる。
【００７０】
なお、この実施形態の場合、目地枠２は目地形成部分全てに連続して形成されて完全な凹部が形成されているが、目地枠２は必ずしも目地形成部分全部に設けなくて、石平板１０を嵌め込んで固定できさえすれば部分的に設けても良く、例えば図中凹部３に該当する四角形状の部分の四隅のみに部分的に設けたり、四辺に部分的に設けるようにしても良い。
【００７１】
また、上記の場合、目地枠２に設けた貫通孔４も、必ずしも目地枠２の上面のみに設けなくても、支持枠体１の目地となる予定部分に設けておいても目地材１２が孔に入り込めばアンカーの役目をするし、また、この実施形態では下面まで貫通する孔としたが、目地材１２が入り込む形状と大きさであれば底まで貫通しない有底孔であっても良い。
【００７２】
［透水床の施工例］
図４（Ａ）（Ｂ）（Ｃ）は、上記図１で示した支持枠体１を用いて透水床面を形成する方法を示すものであり、まず、図２の場合と同様、支持枠体１の設置前に、コンクリート床７の上にレベル材８（又は空練りモルタル）を流し水平面を作り、レベル材８の硬化後、その上に支持枠体１を設置する（図４（Ａ））。
【００７３】
次に、支持枠体１の凹部３内底面に接着剤９を塗布した後、各凹部３内に仕上げ材となる石平板１０を設置してゆき、幅木取り付け溝６には、幅木１１を挿入すると共に、目地枠２の上面の貫通孔４の上部開口部をプラステック製角材等からなる栓１５を蓋として用いて塞いでおく（図４（Ｂ））。
【００７４】
その後、各石平板１０間の隙間に目地材１２を入れる。目地材１２は各石平板１０の隙間を埋めるが、栓１５の存在により貫通孔４には入り込まない。
【００７５】
目地材１２が固化した後、栓１５を取り去れば、貫通孔４の上面が開口し、雨水等を下に通す透水床となる。この場合、支持枠体１が発泡樹脂で吸水しない柔らかい材質であるので防水状態であり、支持枠体１を痛めることはない。
【００７６】
なお、予め貫通孔４の下部拡大部を隣り合う貫通孔４同士で繋いで溝状にしておけば、この部分が水の排出のための通水路１６となる。
【００７７】
この通水路１６に流れ込んだ水を貯水する貯水部分として利用し、石平板１０の裏側に保水性の高い繊維やこれに類する材料（図示せず）を貼っておき、この部分と通水路１６の間にも、同様の保水性や吸水性の高い材料を貼り付け又は支持枠体１内に埋め込む等の手段で介在させるようにしておけば、貯水部分としての通水路１６から水が石平板１０の部分まで吸い上げられて、石平板１０は常に保水状態を保ち、気化熱による床面温度の低下によりヒートアイランド現象を防止できる床とすることもできる。
【００７８】
図５は、図１の支持枠体１を用いて行った透水床の完成平面図であり、床面の目地部分に貫通孔４の上部開口が露出しており、この部分を通じて雨水等が床下に排出されることになる。
【００７９】
なお、この実施形態の場合も、目地枠２は必ずしも目地形成部分全部に設けなくて、石平板１０を嵌め込んで固定できさえすれば部分的に点在して設けても良い。
【００８０】
また、上記の場合、栓１５による蓋の作業を考慮し、貫通孔４は部分的に設けられた目地枠２の上面に設けておくが、支持枠体１の目地となる予定部分のうち目地枠２が形成されない部分に孔（貫通孔）を別途設けておいて栓１５で蓋をしないようにすれば、目地材１２がこの孔に入り込むことで、図２や図３で示した目地のアンカーの役目を行うことになる。
【００８１】
もちろん、目地枠２に形成された貫通孔４を全て透水孔として利用せずに、一部の貫通孔４に栓１５で蓋をせずに作業を行い、目地のアンカーとして用いても良い。
【００８２】
［他の材質からなる支持枠体を用いた施工例］
図６（Ａ）（Ｂ）（Ｃ）に示す支持枠体１７は、プラステックやＧＲＣ、ＦＲＰ、ゴム、軽金属などの比較的曲げ強度が強い素材で製作した場合であって、図１における支持枠体１と同様の部分を同一の符号を付して説明すれば、矩形状の平板形状の一方主面（上側）には、縦横に交差して盛り上がった目地枠２により区画され、それぞれ石やタイル等の仕上げ材が入り込む凹部３が複数個規則正しく配列されて設けられているが、この支持枠体１７の目地枠２には、図１の支持枠体１のような貫通孔４は設けられていない。
【００８３】
また支持枠体１７の一辺端部には縁石等を設置するための横長凹部５が、両側端部には幅木取り付け溝６が設けられている点は、図１の支持枠体１と同様である。
【００８４】
支持枠体１７の他方主面（下側）には、上部凹部３に対応する位置に設けられた下向き凹部内に発泡樹脂１８が断熱材として固定されており、また、プラステックやＧＲＣ、ＦＲＰ、ゴム、軽金属などの素材で製作された支持枠体１７の重量の軽量化にも役立っている。
【００８５】
図７（Ａ）（Ｂ）（Ｃ）は、上記支持枠体１７を用いた床面の形成方法を示すものであり、まず、支持枠体１７の設置前に、コンクリート床７の上にレベル材８（又は空練りモルタル）を流し水平面を作り、レベル材８の硬化後、その上に図１で示した支持枠体１７を設置する（図７（Ａ））。
【００８６】
次に、支持枠体１７の凹部３内底面に接着剤９を塗布した後、各凹部３内に仕上げ材となる石平板１０を設置してゆき、幅木取り付け溝６には、幅木１１を挿入する（図７（Ｂ））。
【００８７】
その後、各石平板１０間の隙間に目地材１２を入れて固化させ、発泡樹脂１８にて断熱性、遮音性が高められた床板が完成する（図７（Ｃ））。
【００８８】
なお、支持枠体１７の材質として発泡樹脂より特に曲げ強度の高いＦＲＰ、ＧＲＣ、又は強化プラスチック、軽金属を用いた場合、下地と支持枠体１７との間に適宜柱状体を配置して空間を作れば（図示せず）、この部分を事務所等の配線用の床下空間として利用することができるし、複雑な勾配を有する床面も下地と支持枠体１７との間に適宜介在物を介するだけで形成できる。
【００８９】
［レベラーを有する支持枠体を用いた施工例］
図８に示す支持枠体１９は、図６における支持枠体１７のようにプラステックやＧＲＣ、ＦＲＰ、ゴム、軽金属などの素材で製作したもので、上部凹部３に対応する位置に設けられた下向き凹部内に発泡樹脂１８が断熱材として固定されている。その他の部分は図１における支持枠体１と同様の部分を同一の符号を付して説明すれば、矩形状の平板形状の一方主面（上側）には、縦横に交差して盛り上がった目地枠２により区画され、それぞれ石やタイル等の仕上げ材が入り込む凹部３が複数個規則正しく配列されて設けられており、目地枠２には下面まで達する貫通孔４が設けられており、更に、支持枠体１９の一辺端部には縁石等を設置するための横長凹部５が、両側端部には幅木取り付け溝６が設けられている。
【００９０】
この支持枠体１９の特徴点としては、その下面に支持枠体１９の下面に螺合ネジの回転により上下方向に伸縮自在となってその長さを調整可能なレベラー２０を設けたものである。
【００９１】
支持枠体１９の材料に曲げ強度の高いＦＲＰ、ＧＲＣ、又は強化プラスチック、軽金属を用いた場合、そのままレベラー２０を点在的に設けるだけで良いが、曲げ強度の低いゴムや発泡樹脂を主体とした場合でも、下面にＦＲＰ、ＧＲＣ、強化プラスチック、又は金属板等を接着しておけばよい。
【００９２】
図９（Ａ）（Ｂ）（Ｃ）は、上記支持枠体１９を用いた床面の形成方法を示すものであり、まず、コンクリート床７の上に支持枠体１９を設置し、各レベラー２０を上下方向に伸縮させて調整することで支持枠体１９をコンクリート床７上で水平状態を維持するようにする（図９（Ａ））。
【００９３】
次に、支持枠体１９の凹部３内底面に接着剤９を塗布した後、各凹部３内に仕上げ材となる石平板１０を設置してゆき、幅木取り付け溝６には、幅木１１を挿入する（図９（Ｂ））。
【００９４】
その後、各石平板１０間の隙間に目地材１２を入れて固化させ、この目地材１２が貫通孔４に入り込んで固まって一体化することにより、目地全体が外れないアンカーの役目を果たすことになり、発泡樹脂１８にて断熱性、遮音性が高められた床板が完成する。
【００９５】
なお、この実施形態において、貫通孔４の有無や発泡樹脂１８の有無等は適宜設計変更して実施することができるし、図４、図５で示した実施形態のように、貫通孔４を透水孔として利用する施工方法として実施することもできる。
【００９６】
［強化床の施工例］
図１０は、発泡樹脂等の軽量材質からなる支持枠体に比較的重量のある石等の仕上げ材を固定したり、長期の荷重による支持枠体の圧縮によるへこみを防止する施工例を示すものである。
【００９７】
支持枠体２１の凹部３の底面にはその四隅付近に支持枠体２１の下面まで通じる貫通孔２２が複数箇所（図では４箇所づつ）設けられている。その他の部分は前述の実施形態の各支持枠体と同一の部分は同一の符号を付してあるので説明を省略する。
【００９８】
図１１（Ａ）は、この施工例に用いる石２３を示す斜視図であり、図１１（Ｂ）（Ｃ）（Ｄ）は、上記支持枠体２１を用いた床面の形成方法を示すものであり、まず、支持枠体２１の設置前に、コンクリート床７の上にレベル材８（又は空練りモルタル）を流し水平面を作った後、その上に図１で示した支持枠体２１を設置する（図１１（Ｂ））。
【００９９】
次に、支持枠体２１の凹部３内に仕上げ材としての石２３を設置するが、この石２３には前もってその下面（裏面）の四隅付近に孔を空けてここにねじナット５３が埋め込まれており、運搬時にはそのまま矩形状で積み重ねて邪魔にならないようにしておき、現場にてこのナット５３にアンカーボルト２４を螺合することにより、石２３にアンカーボルト２４が下向きに突出固定されることになる（図１１（Ａ））。
【０１００】
石２３の支持枠体２１への固定は、支持枠体２１の凹部３内底面に接着剤９を塗布すると共に、凹部３内の貫通孔２２にグラウト材２５を満たした後、各凹部３内の貫通孔２２に石２３のアンカーボルト２４が入り込むようにして石２３を設置する。（図１１（Ｃ））。
【０１０１】
グラウト材２５の硬化後、目地材１２を用いて目地を形成する（図１１（Ｄ））。
【０１０２】
このように支持枠体２１の仕上げ材をはめ込む凹部３に貫通孔２２をあけておき、ここにグラウト材２５を流し込んでおけば、下地（レベル材８）と支持枠体２１間に隙間があってもグラウト材２５で完全に密閉され、その時点でアンカーボルト２４を取り付けた石２３をはめ込めば石２３の固定が完全に行われ、グラウト材２５が硬化すれば、この部分でも荷重を受ける構造となり歩行時の音が軽い音にはならない。
【０１０３】
また、この構造によれば、長期繰り返し荷重により支持枠体２１を構成する発泡樹脂の厚みが薄くなったり万一の変形問題等の欠点を補足する構造が出来上がる。
【０１０４】
なお、貫通孔２２の形状や数などはこの実施形態のものに限定されず、適宜変更して実施できるし、その他の部分も適宜設計変更可能であり、例えば図１の支持枠体１のように目地枠２の貫通孔４を設けて目地のアンカーにするか透水床にしたりすることもできる。
【０１０５】
［階段をスロープに変更する施工例］
図１２（Ａ）は、階段の一部または全てをスロープに変更する施工方法を示すもので、支持枠体２６は、上部はスロープ形状であるが裏側は階段形状をしており、施工現場まで人手によって運び、その場で既設や新設の階段２７の上に必要時に乗せて階段併用のスロープや簡易スロープを簡単に施工するものである。
【０１０６】
図１２（Ａ）の実施形態の場合、先の実施形態の各種支持枠体と同様、スロープとなる傾斜面に、目地枠２により区画された凹部３を形成し、凹部３への石平板１０の設置と目地材１２による目地の形成を行っているが、図１２（Ｂ）のように、石平板１０等の仕上げ材を使用せず、凹部３や目地枠２の無い支持枠体２６′をそのまま使用してスロープを構築する場合もある。
【０１０７】
また、図１２（Ｂ）の支持枠体２６′のように、高さ調整機構としてのレベラー２０を各段に取り付けておけば、取り付け時の階段２７と支持枠体２６′の隙間をレベラー２０の伸縮調整により無くしたり、あらゆる階高の異なる階段に適用できる汎用性の高い支持枠体２６′となる。
【０１０８】
なお、支持枠体２６、２６′の階段２７への固定は、地面２８と支持枠体２６、２６′とにアンカー鉄筋２９を打ち込んで固定したり、支持枠体２６に設けた止めプレート３０により固定側の適宜場所にネジ止めやくぎ止めにて固定するようにすれば良く、スロープを臨時的に設置するか恒久的に設置するかによって設置と取り外しのし易さを考慮し、適宜判断して行えば良い。
【０１０９】
［異なる目地幅に対応した支持枠体を用いた施工例］
図１３は、異なる目地の幅に対応することができる支持枠体３１を示すものであり、この支持枠体３１は矩形の平板状であり、上面には複数の目地棒挿入孔３２、３２ａ、３２ｂが縦横に交差する直線上に並んで設けてある。
【０１１０】
目地棒挿入孔３２ａは、目地幅を狭くして施工する場合の目地部分の中央部に沿った格子状の仮想線上に並んでおり、目地棒挿入孔３２ｂは、目地幅を広くして施工する場合の目地部分の中央部に沿った格子状の仮想線上に並んでおり、目地棒挿入孔３２は両方の目地の位置が共通する部分に並んでおり、それぞれが溝状で一定の深さを有する有底孔である。
【０１１１】
図１４（Ａ）に示す、目地間隔が狭い床面の施工方法を説明すれば、端部の目地棒挿入孔３２及びその他の部分の目地棒挿入孔３２ａに目地棒３３ａを挿入してゆく。
【０１１２】
この目地棒３３ａは、設定目地幅が３ｍｍとすると、上部は最大幅が設定目地幅と同じ３ｍｍの幅を有し、また、前記目地棒挿入孔３２、３２ａの孔に嵌り込む下部とを有するものであり、支持枠体３１の表面上に目地棒３３ａを配置することによって、点線状に区切られた仕上げ材の配置区画が出来上がる。
【０１１３】
この区画に石平板１０を配置し、更に石平板１０同士の隙間に目地材１２を挿入すれば、目地幅３ｍｍの床面が出来上がる。
【０１１４】
次に、図１４（Ｂ）に示す、目地間隔が広い床面の施工方法を説明すれば、端部の目地棒挿入孔３２及びその他の部分の目地棒挿入孔３２ｂに目地棒３３ｂを挿入してゆく。
【０１１５】
この目地棒３３ｂは、設定目地幅が１０ｍｍとすると、上部は最大幅が設定目地幅と同じ１０ｍｍの幅を有し、また、前記目地棒挿入孔３２、３２ｂの孔に嵌り込む下部とを有するものであり、支持枠体３１の表面上に目地棒３３ｂを配置することによって、点線状に区切られた仕上げ材の配置区画が出来上がる。
【０１１６】
なお、目地幅の相違により石平板１０の設置幅の差が累積される場合は、目地棒３３ａ、３３ｂの形状をＬ型目地に変更して対応することもできる。
【０１１７】
この区画に石平板１０を配置し、更に石平板１０同士の隙間に目地材１２を挿入すれば、目地幅１０ｍｍの床面が出来上がる。
【０１１８】
図１５（Ａ）（Ｂ）は、目地棒挿入孔と目地棒との組み合わせによる支持枠体を利用して透水床を施工する施工例を順を追って説明したもので、要部を拡大したものである。
【０１１９】
この施工例で用いられる支持枠体３１′は、その目地棒挿入孔３２ａ′（図示しない）、３２ｂ′が、支持枠体３１′の上下を貫く貫通孔となっており、また、これらの目地棒挿入孔３２ａ′、３２ｂ′に挿入される目地棒３３ａ′（図示しない）、３３ｂ′についても、その内部に上下貫通する貫通孔４′が設けられている。
【０１２０】
この支持枠体３１′を用いて目地幅１０ｍｍとなった透水床を施工する方法を説明すれば、まず、支持枠体３１′の目地棒挿入孔３２ｂ′に目地棒３３ｂ′を挿入し、その後、この目地棒３３ｂ′と接着剤９を利用して仕上げ材となる石平板１０を嵌め込み配置すると共に、目地棒３３ｂ′の貫通孔４′の上部開口を栓１５にて塞ぐ（図１５（Ａ））。
【０１２１】
次に、石平板１０間の目地形成部分に目地材１２を導入してゆくが、この際、目地棒３３ｂ′の貫通孔４′内には栓１５の存在によって目地材１２は入り込まず、目地材１２の固化後、栓１５を取り去れば、貫通孔４′及び栓１５が存在したことによる目地材１２部分の孔により、床面に上下に貫通する透水孔が設けられた床面が得られることになる（図１５（Ｂ））。
【０１２２】
［暖房床の施工例］
図１６は、暖房床の場合の施工例を示すもので、基本的な施工順序は上記の各施工例と同一であるが、図１６（Ａ）のものは、支持枠体１に仕上げ材（石平板１０）をはめ込む前にＰＴＣ発熱線（自動温度制御発熱電線）３４や面状発熱パネルをはさみこみ、その上に熱誘導を平均的にするため薄いアルミ板３５を置き、その上に石平板１０をはめ込み、その後、目地材１２による目地を施工して完了する。なお、浴室床などに利用する際には防水目地で施工する。図中３６は見切り石である。
【０１２３】
又、浴室などの場合は、図１６（Ｂ）のように、電気ではなく配管をして浴槽に給湯する前にこの給湯用の配管３７をアルミ板３５の直下に通して給湯するようにすれば簡単に床暖房が行われる。
【０１２４】
上記施工を、リフォーム時には勾配のついた石を在来床とのつなぎに設置すれば簡単な作業で床暖工事が安価で、浴室、脱衣室、便所などの施工ができ、冬季に続出している浴室、脱衣室、便所などでの脳溢血などの対策も簡単に出来きこれからの高齢者社会に貢献できることになる。
【０１２５】
［遮音床の施工例］
上記各実施形態の工法で施工し、下地のコンクリート床７の上に発泡樹脂からなる支持枠体を直接置いた場合でも、音の響きを遮断する効果は多少あるものの、マンションなどの床では下の階への音の遮断は完全にはできない。
【０１２６】
そこで図１７の工法のように、下地のコンクリート床７の上にゴム製のゴム枕３８を置いてその上に支持枠体１を置いた場合、空気層を作り上記発泡樹脂製の下地で施工することで大幅な音の遮断ができる。
【０１２７】
しかし、発泡樹脂は耐圧には強いものの曲げに弱い欠点を有しているため、ゴム枕３８の上に曲げ強度の強いＦＲＰやＧＲＣ，その他金属板等の硬質板３９を敷いてその上に発泡樹脂製の支持枠体１により施工することでこの問題を解決する。
【０１２８】
［冬期凍結する地域での施工例］
図１８（Ａ）は冬期凍結する地域の施工例を示し、凍結による床面の浮き上がりを防止するようにしたもので、支持枠体１上に仕上げ材としてＢＩＯＴＯＰＩＡ方形パネル（石貼りＧＲＣパネル）４０を貼り付けて形成する場合を示すものである。
【０１２９】
地面２８上に砕石転圧層４１を設け、更に空練モルタル層４２により水平面を出した後
空練モルタル層４２、砕石転圧層４１を貫き、地面２８まで達する縦穴の鉄筋挿入孔４３を掘る。
【０１３０】
次に、空練モルタル層４２上に、枕石としてのパネル受けコンクリートブロック４４、４５、及び石縁石受け台４６を設置するが、このうちパネル受けコンクリートブロック４５と石縁石受け台４６には、その下面から突出するアンカー鉄筋４７が固定されており、このアンカー鉄筋４７を前もってグラウト材２５を充填しておいた前記鉄筋挿入孔４３に挿入してからグラウト材２５の固化により地面２８等に対して強固に固定する。
【０１３１】
その後、支持枠体１をパネル受けコンクリートブロック４４、４５、及び石縁石受け台４６上に設置・固定するが、支持枠体１の下面に予め適宜固定手段によりパネル固定ボルト４８を固定しておき、このパネル固定ボルト４８を、地面に強固に固定されているパネル受けコンクリートブロック４５や石縁石受け台４６に図示しない適宜手段（例えば、グラウト材を充填した孔に固定ボルト４８を入れてグラウト材を固化させる）により強固に固定する。
【０１３２】
なお、空練モルタル層４２は、適宜場所で取り去っておくことで、支持枠体１の貫通孔４を透水路として利用した場合の雨水等の通水路４９としたり、下部の砕石転圧層４１を通じて雨水を地面２８にしみこませるようにしてある。また、駐車場などの場合は通水路４９の部分に砂を入れて耐圧強度を増す場合もある。
【０１３３】
［冬期凍結しない地域での施工例］
図１８（Ｂ）では、上記図１８（Ａ）で利用した部材を利用して、凍結による床面の浮き上がりの心配の無い地域の床の施工方法を示すもので、図１８（Ａ）と同じ部分は同じ符号を付してあるので説明は省略する。
【０１３４】
この実施形態の場合、路面凍結による床面への上向きの力が加わることは考慮しなくても良く、パネル受けコンクリートブロック４５と石縁石受け台４６の固定は、アンカー鉄筋４７を直接地面に打ち込んで固定しておき、また、パネル受けコンクリートブロック４４、４５、及び石縁石受け台４６への支持枠体１の固定は接着剤５０により行っている。
【０１３５】
図１８（Ｃ）は、冬期凍結しない地域の他の施工例を示すものであり、支持枠体１７の下面に固定した固定ボルト４８を、パネル受けコンクリートブロック４５と石縁石受け台４６、空練モルタル層４２、及び砕石転圧層４１までを貫きグラウト材２５が充填された孔に挿入して固定を計ったものである。
【０１３６】
なお、この施工例の場合、空練モルタル層４２と支持枠体１７との隙間には配管５１を配置し、更に、配管５１の周りを砂５２で埋めている。
【図面の簡単な説明】
【０１３７】
【図１】この発明の支持枠体の一例を示すもので（Ａ）は平面図、（Ｂ）はＢ−Ｂ線正面断面図、（Ｃ）はＣ−Ｃ線側面断面図
【図２】（Ａ）（Ｂ）（Ｃ）は図１の支持枠体を用いた床の施工方法を順を追って説明する正面断面図
【図３】図２の施工方法により完成した床の平面図
【図４】（Ａ）（Ｂ）（Ｃ）は図１の支持枠体を用いた透水床の施工方法を順を追って説明する正面断面図
【図５】図４の施工方法により完成した床の平面図
【図６】この発明の支持枠体の他の例を示すもので（Ａ）は平面図、（Ｂ）はＢ−Ｂ線正面断面図、（Ｃ）はＣ−Ｃ線側面断面図
【図７】（Ａ）（Ｂ）（Ｃ）は図６の支持枠体を用いた床の施工方法を順を追って説明する正面断面図
【図８】この発明の支持枠体の他の例を示すもので（Ａ）は平面図、（Ｂ）はＢ−Ｂ線正面断面図、（Ｃ）はＣ−Ｃ線側面断面図
【図９】（Ａ）（Ｂ）（Ｃ）は図８の支持枠体を用いた床の施工方法を順を追って説明する正面断面図
【図１０】この発明の支持枠体の他の例を示すもので（Ａ）は平面図、（Ｂ）はＢ−Ｂ線正面断面図、（Ｃ）はＣ−Ｃ線側面断面図
【図１１】（Ａ）は図１０の支持枠体に用いる石の分解斜視図、（Ｂ）（Ｃ）（Ｄ）は図１０の支持枠体を用いた床の施工方法を順を追って説明する正面断面図
【図１２】（Ａ）（Ｂ）は階段をスロープにする支持枠体を用いた別々の床の施工例を説明する正面断面図
【図１３】この発明の支持枠体の他の例を示すもので（Ａ）は平面図、（Ｂ）はＢ−Ｂ線正面断面図、（Ｃ）はＣ−Ｃ線側面断面図
【図１４】（Ａ）（Ｂ）は図１３の支持枠体を用いた別々の床の施工例を説明する正面断面図
【図１５】（Ａ）（Ｂ）は他の施工方法を順を追って説明する要部拡大正面断面図
【図１６】（Ａ）（Ｂ）は暖房床の場合の別々の施工方法を示す正面断面図
【図１７】遮音床の施工方法を示す正面断面図
【図１８】（Ａ）は冬期凍結する地域の施工例、（Ｂ）（Ｃ）はその他の地域の施工例
【符号の説明】
【０１３８】
１  支持枠材
２  目地枠
３  凹部
４  貫通孔
５  横長凹部
６  幅木取り付け溝
７  コンクリート床
８  レベル材
９  接着剤
１０  石平板
１１  幅木
１２  目地材
１３  框石
１４  壁ボード
１５  栓
１６  通水路
１７  支持枠体
１８  発泡樹脂
１９  支持枠体
２０  レベラー
２１  支持枠体
２２  貫通孔
２３  石
２４  アンカーボルト
２５  グラウト材
２６  支持枠体
２７  階段
２８  地面
２９  アンカー鉄筋
３０  止めプレート
３１  支持枠体
３２、３２ａ、３２ｂ  目地棒挿入孔
３３ａ、３３ｂ  目地棒
３４  ＰＴＣ発熱線
３５  アルミ板
３６  見切り石
３７  配管
３８  ゴム枕
３９  硬質板
４０  石貼りＧＲＣパネル
４１  砕石転圧層
４２  空練モルタル層
４３  鉄筋挿入孔
４４  パネル受けコンクリートブロック
４５  パネル受けコンクリートブロック
４６  石縁石受け台
４７  アンカー鉄筋
４８  パネル固定ボルト
４９  通水路
５０  接着剤
５１  配管
５２  砂
５３  ナット部材
【図１】
2007239418.tif 000003
【図２】
2007239418.tif 000004
【図３】
2007239418.tif 000005
【図４】
2007239418.tif 000006
【図５】
2007239418.tif 000007
【図６】
2007239418.tif 000008
【図７】
2007239418.tif 000009
【図８】
2007239418.tif 000010
【図９】
2007239418.tif 000011
【図１０】
2007239418.tif 000012
【図１１】
2007239418.tif 000013
【図１２】
2007239418.tif 000014
【図１３】
2007239418.tif 000015
【図１４】
2007239418.tif 000016
【図１５】
2007239418.tif 000017
【図１６】
2007239418.tif 000018
【図１７】
2007239418.tif 000019
【図１８】
2007239418.tif 000020